(57)【要約】【課題】目地において屋内側への水の浸入を好適に抑制することができる建物の外壁構造を提供する。【解決手段】外壁部１７は、横並びに配置された複数の外壁パネル３１を有し、各外壁パネル３１は、外壁面材４１及び下地フレーム４２を有している。左右に隣り合う外壁パネル３１の間には上下方向に延びる目地３２が形成されており、それら外壁パネル３１には、目地３２を跨いだ状態で止水シート５６が架け渡されて設けられている。止水シート５６は、外壁面材４１と下地フレーム４２との間に挟まれた状態で固定されており、目地３２においては、下地フレーム４２同士の間に挟まれた状態でガスケット５４が設けられている。止水シート５６は屋外側から目地３２内に入り込んでおり、止水シート５６により、ガスケット５４を屋内側から覆う被覆部５８と、ガスケット５４から流れ落ちた水をそのガスケット５４よりも屋外側に案内する案内部５９とが形成されている。【選択図】      図５
2014047567.tif 000002
【特許請求の範囲】
【請求項１】
建物躯体に取り付けられた下地フレームと、前記下地フレームの屋外側に取り付けられた外壁面材と、を有する外壁パネルが横並びに複数設けられており、左右に隣り合う前記外壁パネルの間には上下方向に延びる目地が形成されている建物の外壁構造であって、
前記外壁面材の屋内側面に重ねられた止水シートが、前記目地を跨いで左右の前記外壁パネルに架け渡され、それら外壁パネルのそれぞれにおいて前記外壁面材と前記下地フレームとの間に挟まれた状態で固定されており、その固定された部分は前記目地に沿って上下方向に延びており、
前記目地には、当該目地に沿って延びるガスケットが前記下地フレーム同士の間に挟まれた状態で設けられており、
前記止水シートにより、
前記目地において屋外側から前記下地フレーム同士の間に入り込んだ状態で、前記ガスケットの少なくとも下端部を屋内側から覆っている被覆部と、
前記ガスケットの下方に設けられ、該ガスケットの下端から流れ落ちた水を同ガスケットよりも屋外側に案内する案内部と、
が形成されていることを特徴とする建物の外壁構造。
【請求項２】
前記被覆部と前記案内部とは上下方向に連続して形成されており、
前記案内部は、前記ガスケットから流れ落ちた水を受け止めて案内する案内面を有しており、
前記案内部においては、前記目地において前記屋外側から前記下地フレーム同士の間への前記案内面の入り込み寸法が、当該案内部の下端部に向けて徐々に小さくされていることを特徴とする請求項１に記載の建物の外壁構造。
【請求項３】
各外壁パネルには、前記外壁面材の屋内側面に沿って延びているシート材が、該外壁面材と前記下地フレームとの間に挟持された状態でそれぞれ設けられており、
隣り合う前記外壁パネルの各シート材において、前記外壁面材から前記目地側にはみ出た部分同士が前記目地にて接続されることで前記止水シートが構成されていることを特徴とする請求項１又は２に記載の建物の外壁構造。
【請求項４】
前記目地においては、各下地フレームの間に挟まれたスペーサ部材が前記止水シートの屋内側に設けられており、
前記スペーサ部材は、当該スペーサ部材に前記止水シートが当接することで前記下地フレーム同士の間への前記止水シートの入り込みを規制するものであることを特徴とする請求項３に記載の建物の外壁構造。
【請求項５】
前記スペーサ部材は、前記被覆部の屋内側に設けられた被覆側部分と、前記案内部の屋内側に設けられた案内側部分とを有し、前記案内側部分により規制される前記案内部の入り込み寸法は、前記被覆側部分により規制される前記被覆部の入り込み寸法よりも小さくされていることを特徴とする請求項４に記載の建物の外壁構造。
【請求項６】
隣り合う前記外壁パネルの各シート材は、当該シート材の下部が上方に向けて折り返された折り返し部分を有していることを特徴とする請求項３乃至５のいずれか１項に記載の建物の外壁構造。
【請求項７】
前記シート材の前記折り返し部分においては、当該シート材の下部が屋内側に折り返されていることを特徴とする請求項６に記載の建物の外壁構造。
【請求項８】
前記目地には、当該目地に沿って延びるシーリング材が、前記ガスケットの屋外側において前記外壁面材同士の間に設けられていることを特徴とする請求項１乃至７のいずれか１項に記載の建物の外壁構造。
【請求項９】
屋外に設けられた屋外床部から上方に向けて立ち上がっている立ち上がり部が、屋内空間と屋外空間との間に設けられている建物に適用され、
前記外壁パネルは前記立ち上がり部の上方に配置されており、
前記止水シートは、その一部が前記外壁面材から下方にはみ出しており、そのはみ出し部分により、前記案内部に連続し且つ前記立ち上がり部の屋外側面に重ねられた重ね部が形成されていることを特徴とする請求項１乃至８のいずれか１項に記載の建物の外壁構造。
【発明の詳細な説明】
【技術分野】
【０００１】
本発明は、建物の外壁構造に関するものである。
【背景技術】
【０００２】
住宅等の建物において、複数の外壁パネルが横並びに設けられることで外壁が構成されている場合、それら外壁パネルの間には上下方向に延びる目地が形成される。目地には、ガスケットやシーリング材等の防水部材が外壁パネル同士の間に挟まった状態で設けられており、それによって、目地を通じて屋内側に雨水等の水が浸入することを抑制できる。
【０００３】
ここで、目地での防水に関して、溝部を有する防水部材がその溝部が目地に沿って延びる状態で目地内に嵌め込まれている、という技術が提案されている（例えば特許文献１）。この技術では、防水部材が、溝部の下端部に配置された排水片を有しており、目地内を流下して防水部材に達した水が溝部を介して排水片から屋外側に排出される。
【先行技術文献】
【特許文献】
【０００４】
【特許文献１】特開２００５−２２６３７１号公報
【発明の概要】
【発明が解決しようとする課題】
【０００５】
しかしながら、目地内に防水部材が嵌め込まれている構成では、外壁パネルと防水部材との間に水が浸入することが懸念される。そこで、防水部材と外壁パネルとの間に屋外側からコーキング材等の充填材を充填することで、防水部材と外壁パネルとの間への水の浸入を抑制できると考えられるが、この場合でも、充填材の経年劣化等によりその充填材にひび割れが生じると、その割れ目を通じて外壁パネルと防水部材との間に水が浸入することが懸念される。
【０００６】
本発明は、目地において屋内側への水の浸入を好適に抑制することができる建物の外壁構造を提供することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物の外壁構造は、建物躯体に取り付けられた下地フレームと、前記下地フレームの屋外側に取り付けられた外壁面材と、を有する外壁パネルが横並びに複数設けられており、左右に隣り合う前記外壁パネルの間には上下方向に延びる目地が形成されている建物の外壁構造であって、前記外壁面材の屋内側面に重ねられた止水シートが、前記目地を跨いで左右の前記外壁パネルに架け渡され、それら外壁パネルのそれぞれにおいて前記外壁面材と前記下地フレームとの間に挟まれた状態で固定されており、その固定された部分は前記目地に沿って上下方向に延びており、前記目地には、当該目地に沿って延びるガスケットが前記下地フレーム同士の間に挟まれた状態で設けられており、前記止水シートにより、前記目地において屋外側から前記下地フレーム同士の間に入り込んだ状態で、前記ガスケットの少なくとも下端部を屋内側から覆っている被覆部と、前記ガスケットの下方に設けられ、該ガスケットの下端から流れ落ちた水を同ガスケットよりも屋外側に案内する案内部と、が形成されていることを特徴とする。
【０００９】
第1の発明によれば、外壁の目地において、雨水等の水が屋内側に浸入することをガスケットにより規制することができる。しかも、ガスケットにより屋内側への浸入が規制された水がガスケットに沿って流下し、ガスケットの下端から下方に流れ落ちても、その水は、さらに止水シートに沿って流れて屋外に排出される。したがって、目地の下端部に水が溜まるということを抑制できる。加えて、外壁パネルにおいては、止水シートが外壁面材と下地フレームとで挟持されているため、止水シートと外壁面材との間にコーキング材等の充填材を充填しなくても、止水シートと外壁面材との間に水が浸入することを規制できる。以上により、目地において屋内側への水の浸入を好適に抑制することができる。
【００１０】
第２の発明では、前記被覆部と前記案内部とは上下方向に連続して形成されており、前記案内部は、前記ガスケットから流れ落ちた水を受け止めて案内する案内面を有しており、前記案内部においては、前記目地において前記屋外側から前記下地フレーム同士の間への前記案内面の入り込み寸法が、当該案内部の下端部に向けて徐々に小さくされている。
【００１１】
第２の発明によれば、ガスケットの下端から案内部に流れ落ちた水をガスケットよりも屋外側に案内する構成を実現できる。また、止水シートが柔軟性を有しているため、案内部の形状を、案内面の入り込み寸法が案内部の下端部に向けて徐々に小さくなるように整えることが容易になる。
【００１２】
第３の発明では、各外壁パネルには、前記外壁面材の屋内側面に沿って延びているシート材が、該外壁面材と前記下地フレームとの間に挟持された状態でそれぞれ設けられており、隣り合う前記外壁パネルの各シート材において、前記外壁面材から前記目地側にはみ出た部分同士が前記目地にて接続されることで前記止水シートが構成されている。
【００１３】
第３の発明によれば、建物躯体に対して複数の外壁パネルを横並びに取り付けた後、各外壁パネルの止水シート同士を接続し、その接続部分を目地に押し込むことで、各止水シートにより被覆部及び案内部を形成することができる。その後、目地に対してガスケットを屋外側から押し込むという容易な作業を行うことで、ガスケットの下端部を被覆部の屋外側に配置することができる。
【００１４】
第４の発明では、前記目地においては、各下地フレームの間に挟まれたスペーサ部材が前記止水シートの屋内側に設けられており、前記スペーサ部材は、当該スペーサ部材に前記止水シートが当接することで前記下地フレーム同士の間への前記止水シートの入り込みを規制するものである。
【００１５】
シート材同士の接続部分が目地内に押し込まれる構成では、その接続部分を目地内に押し込む作業や、目地内において止水シートの被覆部にガスケットを差し入れる作業を行う際に、シート材同士の接続部分に外力が加えられると、それらシート材の接続が解除されることが懸念される。
【００１６】
これに対して、第４の発明によれば、隣り合う外壁パネルの各下地フレームの離間距離を所定距離に保つためのスペーサ部材により、目地における止水シートの押し込みを制限することができる。この場合、止水シートの押し込みを制限するための専用部材を設けなくても、手やガスケットなどにより止水シートを目地内に押し込み過ぎてシート材同士の接続が解除されるということを抑制できる。
【００１７】
第５の発明では、前記スペーサ部材は、前記被覆部の屋内側に設けられた被覆側部分と、前記案内部の屋内側に設けられた案内側部分とを有し、前記案内側部分により規制される前記案内部の入り込み寸法は、前記被覆側部分により規制される前記被覆部の入り込み寸法よりも小さくされている。
【００１８】
第５の発明によれば、止水シートを目地内に入り込ませる際に、その止水シートをスペーサ部材の被覆側部分及び案内側部分のそれぞれに当接する程度に押し込むという容易な作業により、止水シートにより案内部及び被覆部を形成することができる。しかも、案内部を被覆部よりも目地の奥側に押し込んでしまうということも回避できる。
【００１９】
第６の発明では、隣り合う前記外壁パネルの各シート材は、当該シート材の下部が上方に向けて折り返された折り返し部分を有している。
【００２０】
第６の発明によれば、目地部分においては、折り返し部分におけるシート材同士の重なり寸法を増減させることで、止水シートの被覆部及び案内部の入り込み寸法を調整することができる。これにより、止水シートにおいて、外壁面材と下地フレームとの間に挟持された部分と、目地内において被覆部及び案内部を形成する部分とで、上下方向の長さ寸法を同じにすることが可能となる。
【００２１】
第７の発明では、前記シート材の前記折り返し部分においては、当該シート材の下部が屋内側に折り返されている。
【００２２】
第７の発明によれば、シート材の下部が屋内側に折り返されているため、シート材の折り返し部分に屋外側から水が浸入することを抑制できる。つまり、シート材の折り返し部分に水が溜まることを抑制できる。
【００２３】
第８の発明では、前記目地には、当該目地に沿って延びるシーリング材が、前記ガスケットの屋外側において前記外壁面材同士の間に設けられている。
【００２４】
第８の発明によれば、目地内において、下地フレーム同士の間よりも屋外側にシーリング材が設けられているため、ガスケットまで水が浸入しにくい構成を実現できる。
【００２５】
第９の発明では、屋外に設けられた屋外床部から上方に向けて立ち上がっている立ち上がり部が、屋内空間と屋外空間との間に設けられている建物に適用され、前記外壁パネルは前記立ち上がり部の上方に配置されており、前記止水シートは、その一部が前記外壁面材から下方にはみ出しており、そのはみ出し部分により、前記案内部に連続し且つ前記立ち上がり部の屋外側面に重ねられた重ね部が形成されている。
【００２６】
第９の発明によれば、案内部にて案内された雨水等が、立ち上がり部の屋外側に排出される。このため、雨水等が立ち上がり部の屋外側面よりも屋内側に浸入することを抑制できる。
【図面の簡単な説明】
【００２７】
【図１】建物の概略を示す縦断面図
【図２】外壁部の下端周辺の正面図
【図３】隣り合う外壁パネルの構成を示す正面図
【図４】図２のＡ−Ａ線断面図
【図５】図２のＢ−Ｂ線断面図
【図６】図２のＣ−Ｃ線断面図
【図７】図２のＤ−Ｄ線断面図
【図８】目地に施す防水処理の作業手順を説明するための図
【図９】別の隣り合う外壁パネルの構成を示す正面図
【図１０】別の外壁部の横断面図
【図１１】別の外壁部の縦断面図
【発明を実施するための形態】
【００２８】
以下、本発明を具体化した一実施形態について図面を参照しつつ説明する。本実施形態では、本発明の外壁構造を複数階建ての建物において具体化している。図１は、図１は建物の概略を示す縦断面図である。
【００２９】
図１に示すように、建物１０は、建物本体１１と、その建物本体１１の上方に形成された屋根１２とを備えている。建物本体１１は、一階部分１３と二階部分１４とを有してなる二階建て建物である。建物１０の一階部分１３には第一居室１５等が形成され、二階部分１４には第二居室１６等が形成されており、第一居室１５及び第二居室１６はいずれも屋内空間になっている。
【００３０】
建物１０の二階部分１４には、バルコニー２０が設けられている。バルコニー２０は、第一居室１５の上方に設けられており、いわゆるルーフバルコニーとなっている。バルコニー２０は、第二居室１６と隣接して設けられており、バルコニー２０と第二居室１６とは外壁としての外壁部１７によって仕切られている。図示は省略するが、外壁部１７の一部には窓部（例えば掃き出し窓）が設けられ、その窓部を通じて第二居室１６とバルコニー２０との間の行き来が可能となっている。
【００３１】
バルコニー２０は、バルコニー床部２１と、バルコニー床部２１の周縁に沿って立設されるバルコニー腰壁部２２とを備える。バルコニー床部２１とバルコニー腰壁部２２と外壁部１７とにより囲まれる空間はバルコニー空間ＢＳとなっている。この場合、バルコニー空間ＢＳが屋外開放空間に相当する。
【００３２】
また、バルコニー２０は、一階部分１３の第一居室１５の上方に配置されている。このため、バルコニー床部２１は、第一居室１５の天井部又は屋根部を形成していることにもなる。
【００３３】
次に、外壁部１７の構成について図２〜７を参照しつつ説明する。図２は外壁部１７の下端周辺の正面図、図３は隣り合う外壁パネル３１の構成を示す正面図、図４は図２のＡ−Ａ線断面図、図５は図２のＢ−Ｂ線断面図、図６は図２のＣ−Ｃ線断面図、図７は図２のＤ−Ｄ線断面図である。なお、図２においては、外壁面材４１の裏側に配置された下地フレーム４２を破線で示し、図３においては、壁下シート５１及びシート材６１における外壁面材４１の裏側に配置された部分を破線で示している。
図３においては、建物１０に対して固定されていない状態の外壁パネル３１を示す。
【００３４】
図２に示すように、外壁部１７は、横並びに配置された複数の外壁パネル３１を有している。左右に隣り合う外壁パネル３１の間には目地３２が形成されており、その目地３２は外壁パネル３１の側辺に沿って上下方向に延びている。外壁部１７は、バルコニー床部２１から上方に向けて立ち上げられた立ち上がり部３３の上に設けられており、その立ち上がり部３３は、バルコニー２０と第二居室１６との間に設けられている。
【００３５】
目地３２の下方には、目地３２内に浸入した雨水等の水を屋外側（バルコニー空間ＢＳ側）に排出する水排出口３４が設けられている。水排出口３４は、目地３２の下端から下方に向けて延びており、外壁部１７と立ち上がり部３３との間において屋外側に向けて開放されている。
【００３６】
図４に示すように、外壁パネル３１は、二階部分１４の床大梁又は一階部分１３の天井大梁としての大梁３６により支持されている。具体的には、大梁３６は、Ｈ形鋼等の鋼材により形成されており、外壁部１７に沿って水平方向に延びている。外壁パネル３１は、支持ブラケット３７を介して大梁３６に固定されている。支持ブラケット３７は、アングル材等により形成されており、溶接等により大梁３６に対して固定されている。なお、支持ブラケット３７は、大梁３６の長手方向に沿って所定間隔で複数並べられている。
【００３７】
外壁パネル３１は、外壁部１７の屋外面（外壁面）を形成する外壁面材４１と、外壁面材４１の屋内側に配置された下地フレーム４２とを有している。外壁面材４１は、窯業系サイディングボード等の外装材により矩形板状に形成されている。
【００３８】
下地フレーム４２は、外壁面材４１の屋内側面に沿って上下方向に延びる縦フレーム材４２ａと、外壁面材４１の屋内側面に沿って左右方向に延びる横フレーム材４２ｂとを有しており（図２参照）、それらフレーム材４２ａ，４２ｂはいずれも断面コ字状の軽量溝形鋼により形成されている。縦フレーム材４２ａは、外壁面材４１の側端部に沿って延びる位置に配置され、横フレーム材４２ｂは、外壁面材４１の下端部に沿って延びる位置に配置されている。なお、下地フレーム４２には、支持ブラケット３７が溶接等により固定されており、それによって、外壁パネル３１が支持ブラケット３７により支持されている。
【００３９】
バルコニー床部２１は、図示しないバルコニー床梁により支持された床下地材４５と、床下地材４５の上に設置された床断熱部４６と、床断熱部４６の上に沿って延びるように形成された防水層４７とを有している。床下地材４５は、ＡＬＣ（軽量気泡コンクリート）等により形成されており、床断熱部４６は、硬質ウレタンフォーム等の発泡系断熱材などにより形成されている。防水層４７は、防水塗料が床断熱部４６の上面に対して塗布されることや、塩化ビニル等の耐水性を有する材料により形成された防水シートが床断熱部４６の上面に沿って敷設されることで形成されている。
【００４０】
防水層４７は、バルコニー床部２１の床面に沿って延びているとともに、立ち上がり部３３の屋外側面に沿って延びている。この場合、防水層４７は、バルコニー床部２１と立ち上がり部３３とにより形成された入隅部を覆っていることになる。
【００４１】
立ち上がり部３３においては、防水層４７の屋内側に防水下地鋼板４８が設けられている。防水下地鋼板４８は、断面コ字状の溝形鋼により形成されており、溝部を屋内側に向けた状態で外壁部１７の下端部に沿って延びている。この場合、防水層４７における立ち上がり部分は、防水下地鋼板４８のウェブの外側面に沿って延びた状態で設けられている。防水下地鋼板４８は、ベースフレーム４９を介して支持ブラケット３７に取り付けられている。つまり、防水下地鋼板４８は、ベースフレーム４９及び支持ブラケット３７を介して大梁３６により支持されている。
【００４２】
ベースフレーム４９は、断面コ字状の溝形鋼を複数組み合わせて構成されており、防水下地鋼板４８と同様に、外壁部１７の下端部に沿って延びる長尺部材とされている。ベースフレーム４９は、バルコニー２０と第二居室１６との並び方向において、防水下地鋼板４８と横並びに配置されており、防水下地鋼板４８及び支持ブラケット３７に対して溶接等により固定されている。防水下地鋼板４８及び支持ブラケット３７の各上部は、バルコニー床部２１の床面よりも上方に突出しており、各突出部分により立ち上がり部３３が構成されている。
【００４３】
立ち上がり部３３において防水層４７の屋外側には、壁下シート５１が設けられている。壁下シート５１は、クロロプレンゴム（ＣＲゴム）等の耐水性を有する材料により形成され、柔軟性を有する防水シートであり、上下方向において外壁パネル３１と立ち上がり部３３とに架け渡された状態で設けられている。壁下シート５１は、外壁部１７の下端部に沿って延びており、壁下シート５１における下端寄りの部分は、防水層４７に対して屋外側から重ねられている。この場合、立ち上がり部３３において防水層４７と防水下地鋼板４８との境界部が、壁下シート５１により屋外側から覆われているため、それら防水層４７と防水下地鋼板４８との間に上方から水が浸入することが規制されている。また、壁下シート５１は、立ち上がり部３３（防水下地鋼板４８）と外壁パネル３１との隙間を屋外側から塞いでいることにもなる。
【００４４】
一方、壁下シート５１における上端寄りの部分は、外壁面材４１と下地フレーム４２との間に挟まれた状態で、外壁面材４１の屋内側面に重ねられている。この場合、壁下シート５１は、外壁パネル３１の下端部に配置された横フレーム材４２ｂと外壁面材４１とにより挟持されている。
【００４５】
図３に示すように、壁下シート５１は、各外壁パネル３１のそれぞれに対して個別に取り付けられている。壁下シート５１は、外壁パネル３１の下端部に沿って延びているが、外壁パネル３１の幅方向においては、壁下シート５１の端部が外壁パネル３１の側端部よりも内側に配置されている。また、壁下シート５１の下端寄りの部分は外壁パネル３１よりも下方にはみ出している。
【００４６】
図２，図５に示すように、外壁部１７の目地３２においては、外壁面材４１同士の間に設けられたシーリング材５３と、そのシーリング材５３の屋内側に配置されたガスケット５４とが設けられている。シーリング材５３及びガスケット５４は、いずれもＥＰＤＭゴム等により形成された定形のシーリング材であり、目地３２に嵌め込まれている。なお、ガスケット５４よりも屋外側に配置されたシーリング材５３を１次ガスケット、ガスケット５４を２次ガスケットと称することもできる。
【００４７】
シーリング材５３は各外壁面材４１の側端面に密着しており、外壁面材４１同士の間の隙間において気密性及び水密性が確保されている。ガスケット５４は、シーリング材５３よりも目地３２の奥側において、下地フレーム４２同士の間に嵌め込まれている。ここで、外壁パネル３１において側端部に配置された縦フレーム材４２ａは、その溝部を目地３２とは反対側に向けて配置されており、隣り合う外壁パネル３１の各縦フレーム材４２ａにおいては、ウェブの外側面同士が目地３２を挟んで対向している。この場合、ガスケット５４は各縦フレーム材４２ａのウェブに密着しており、それによって、下地フレーム４２同士の間の隙間において気密性及び水密性が確保されている。
【００４８】
なお、シーリング材５３は、シリコン系材料等により形成された不定形のシーリング材とされていてもよい。この場合、シーリング材５３は、流動性を有する不定形の状態で目地３２に充填され、その状態で硬化したゴム状弾性体となる。
【００４９】
シーリング材５３は、目地３２の下端から上方に向けて延びているのに対して、ガスケット５４は、目地３２の下端から上側に離間した位置から上方に向けて延びている。ここで、目地３２においてシーリング材５３の裏側に水が浸入した場合、その水がさらに屋内側に浸入することがガスケット５４により規制される。ガスケット５４により浸入が規制された水は、ガスケット５４に沿って流下し、ガスケット５４の下端部から下方に落下することで、立ち上がり部３３の内部等を通じてバルコニー２０の下方（一階部分１３の第一居室１５）に浸入することが懸念される。
【００５０】
これに対して、本実施形態では、ガスケット５４の下端部から流れ落ちた水が、立ち上がり部３３の屋外側においてバルコニー床部２１の上に排出されるようになっている。ここでは、目地３２内に浸入した水の排出構造について説明する。
【００５１】
図６、図７に示すように、左右に隣り合う外壁パネル３１に目地３２を跨いだ状態で止水シート５６が架け渡されている。止水シート５６は、塩化ビニル等の耐水性を有する材料により形成された防水シートであり、柔軟性を有している。各外壁パネル３１においては、止水シート５６が外壁面材４１と下地フレーム４２との間に挟まれた状態で固定されている。つまり、止水シート５６は外壁面材４１と下地フレーム４２とにより挟持されている。
【００５２】
目地３２においては、左右方向（外壁パネル３１の並び方向）における止水シート５６の中間部分が屋外側から下地フレーム４２同士の間に入り込んだ状態になっている。止水シート５６における下地フレーム４２同士の間に入り込んだ入り込み部分５７は、屋内側に向けて突出した横断面Ｕ字形状になっており、上方、下方及び屋外側に向けて開放された内側空間を有している。ガスケット５４は、止水シート５６における入り込み部分５７の内側空間に屋外側から嵌め込まれた状態になっており、入り込み部分５７においては、止水シート５６がガスケット５４を屋内側から覆った状態になっている。
【００５３】
なお、止水シート５６の入り込み部分５７の内側空間においては、ガスケット５４の屋内側面が入り込み部分５７における屋外側を向いた側面から屋外側に離間している。この場合、外壁部１７の厚み方向においては、ガスケット５４と止水シート５６との間に隙間が形成されており、その隙間を通じて屋外空間と壁内空間（ガスケット５４よりも屋内側の空間）との間で通気が行われるようになっている。
【００５４】
止水シート５６における入り込み部分５７の屋外側には、外壁面材４１同士の間に嵌め込まれたシーリング材５３が存在しており、目地３２において止水シート５６の入り込み部分５７はシーリング材５３により屋外側から塞がれている。
【００５５】
図５に示すように、止水シート５６の入り込み部分５７においては、その上端寄りの部分により、ガスケット５４を屋内側から覆っている被覆部５８が形成されているとともに、被覆部５８よりも下方部分（ガスケット５４の下方部分）により、水を屋外側に案内する案内部５９が形成されている。被覆部５８は、ガスケット５４の下端寄りの部分と横並びに配置されており、案内部５９は被覆部５８よりも屋外側に向けて突出している。
【００５６】
止水シート５６は、上下方向において外壁パネル３１と立ち上がり部３３とに架け渡されており、止水シート５６における下端寄りの部分は、立ち上がり部３３の屋外側（バルコニー空間ＢＳ側）の側面に沿って延びている。ここで、立ち上がり部３３において、目地３２の下方部分など壁下シート５１が設けられていない部分では、止水シート５６が防水層４７に対して屋外側から直接重ねられている。一方、壁下シート５１が設けられている部分では、止水シート５６が壁下シート５１を介して防水層４７に屋外側から重ねられている（図４参照）。なお、壁下シート５１の有無にかかわらず、止水シート５６における立ち上がり部３３の屋外側面に重ねられた部分が重ね部に相当する。
【００５７】
案内部５９は、止水シート５６の入り込み部分５７に加えて、止水シート５６における目地３２よりも下方（外壁パネル３１よりも下方）にはみ出した部分により形成されている。案内部５９においては、屋内側への入り込み寸法が下方に向かうにつれて徐々に小さくされている。この場合、案内部５９は、ガスケット５４の下端部から落ちた水を受け止めて屋外側に案内する案内面５９ａを有しており、外壁面材４１（シーリング材５３）に対する案内面５９ａの屋内側への入り込み寸法が、高さレベルが低い位置ほど小さくなっていることになる。なお、案内面５９ａは、屋外側の斜め上方を向いており、下方に向かうにつれて屋外側に傾斜していれば、その傾斜は直線的でも曲線的でもよい。
【００５８】
シーリング材５３に対する案内面５９ａの屋内側への入り込み寸法は、目地３２の下端部においてもゼロになっておらず、止水シート５６の入り込み部分５７の内側空間は、シーリング材５３の屋内側にて下方に向けて開放されている。この場合、案内部５９の内部空間が下方に向けて開放されていることになり、その開放部分により水排出口３４が形成されている。止水シート５６は、水排出口３４の下方にて立ち上がり部３３に対して固定されており、水排出口３４は、外壁パネル３１（外壁部１７）と立ち上がり部３３との間の離間部分において形成されていることになる。
【００５９】
図５〜図７に示すように、目地３２には、下地フレーム４２同士の間の離間距離を保持するためのスペーサ部材６５が設けられている。スペーサ部材６５は、木材等により形成され、下地フレーム４２同士の間に挟まれており、目地３２において止水シート５６の屋内側に配置されている。この場合、スペーサ部材６５は、止水シート５６に当接することで、目地３２において止水シート５６が屋内側に入り込むことを規制していることになる。
【００６０】
特に、スペーサ部材６５においては、被覆部５８と横並びに配置された部分が被覆側部分６５ａとされ、案内部５９と横並びに配置された部分が案内側部分６５ｂとされており、案内側部分６５ｂが被覆側部分６５ａよりも屋外側に突出している。このため、案内側部分６５ｂは、止水シート５６により形成された案内部５９に当接することで、その案内部５９の屋内側への入り込み寸法が被覆部５８の屋内側への入り込み寸法より大きくなることを規制している。
【００６１】
ここで、止水シート５６は、各外壁パネル３１のそれぞれに設けられたシート材６１が接続されることで形成されている。なお、シート材６１と止水シート５６との違いは大きさや形状だけとなっており、本実施形態では、単に２つのシート材６１を接続したものを止水シート５６と称している。
【００６２】
図３に示すように、シート材６１は、外壁パネル３１における下側の隅角部に対して配置されている。シート材６１は、外壁パネル３１の下端部に沿って延びているとともに、外壁パネル３１の側端部に沿って上下方向に延びており、外壁パネル３１の下方及び幅方向の両方にはみ出している。外壁パネル３１の幅方向におけるシート材６１の一部は、壁下シート５１の屋外側面に対して重ねられており、シート材６１と壁下シート５１とでは、外壁パネル３１から下方へのはみ出し寸法が同じになっている。
【００６３】
隣り合う位置に設けられる一対の外壁パネル３１においては、それぞれの幅方向へのシート材６１のはみ出し寸法が異なっている。例えば、一方の外壁パネル３１についてシート材６１のはみ出し寸法をＬ１とし、他方の外壁パネル３１についてシート材６１のはみ出し寸法をＬ２とすれば、Ｌ２（例えば６５ｍｍ）がＬ１（例えば５０ｍｍ）よりも大きくなっている。
【００６４】
各外壁パネル３１のシート材６１においては、側方へのはみ出し部分の先端側に接着面６１ａを有しており、それら接着面６１ａが接着剤等により互いに接合されることで、シート材６１同士が接続される。これらシート材６１は、先端同士を合わせるように接続されるのではなく、一方のシート材６１の先端側が他方のシート材６１の基端側（外壁面材４１側）に配置される状態で接続される。
【００６５】
例えば、各シート材６１の接着面６１ａの幅寸法を同じとした場合、それらシート材６１の接続部分は、各外壁パネル３１の真ん中ではなく、はみ出し寸法がＬ１のシート材６１の外壁パネル３１に近い側に配置されることになる。このため、止水シート５６が目地３２内に入り込んだ状態では、シート材６１の接続部分が下地フレーム４２同士の中間位置ではなく、一方の下地フレーム４２側に配置されることになる（図６、図７参照）。この場合、止水シート５６を目地３２内に押し込む際に、シート材６１同士の接続部分を直接押すのではなく、接続部分の側方部分を押すことになるため、止水シート５６の押し込みに伴ってシート材６１の接着面６１ａ同士が矧がれるということを抑制できる。
【００６６】
また、この場合、シート材６１同士の接続部分は、各下地フレーム４２のうち一方のウェブ外側面に沿って延びており、その接続部分において、一方のシート材６１は下地フレーム４２のウェブ外壁面に当接し、他方のシート材６１は、一方のシート材６１よりも目地３２内側に配置されている。ここで、目地３２内側に配置された方のシート材６１は、屋外側から屋内側に向けて延びている。このため、止水シート５６の入り込み部分５７の内側空間に屋外側からガスケット５４を嵌め込む際に、シート材６１同士の接続部分において目地３２内側に配置された方のシート材６１の端部にガスケット５４が引っ掛かるということが生じないようになっている。これにより、目地３２内へのガスケット５４の嵌め込み作業に伴ってシート材６１同士の接着面６１ａが剥がれるということを抑制できる。
【００６７】
また、シート材６１においては、その下部が上方に向けて折り返されることで折り返し部分６６が形成されている。折り返し部分６６においては、シート材６１が屋内側に向けて折り返されており、シート材６１の端部が屋外側に露出しないようになっている（図４参照）。この場合、シート材６１の折り返し部分６６に屋外側から水が浸入しにくくなっている。
【００６８】
次に、隣り合う外壁パネル３１を大梁３６等の建物躯体に取り付けた後に目地３２についての防水処理を施す場合の作業手順について、図８を参照しつつ説明する。図８は、目地３２に施す防水処理の作業手順を説明するための図である。
【００６９】
図８（ａ）に示すように、隣り合う外壁パネル３１を建物躯体に取り付けた後、各外壁パネル３１のシート材６１を目地３２から屋外側に引き出す。この場合、シート材６１及び壁下シート５１における外壁パネル３１の下方にはみ出した部分を、バルコニー床部２１から立ち上げられた立ち上がり部３３に対して接着剤等により固定しておく。また、目地３２の奥側にはスペーサ部材６５を設置しておく。
【００７０】
そして、図８（ｂ）に示すように、各シート材６１のうちはみ出し寸法が大きい方のシート材６１の先端側を折り返すようにして、シート材６１の接着面６１ａ同士を接着し、それらシート材６１を互いに接続する。これにより、目地３２から屋外側にはみ出した状態で止水シート５６を形成したことになる。なお、この場合、各シート材６１のはみ出し寸法が異なっているため、それらシート材６１の接着面６１ａ同士を容易に重ね合わせることができる。
【００７１】
次に、図８（ｃ）に示すように、止水シート５６のうち目地３２から屋外側にはみ出した部分を目地３２内に押し込む。このとき、止水シート５６におけるシート材６１同士の接続部分の周辺が目地３２の奥側に配置されるようにする。そして、目地３２内において、止水シート５６をスペーサ部材６５に当接する程度に押し込むとともに、止水シート５６の上端から下端に向けて徐々に目地３２への止水シート５６の入り込み寸法が小さくなるように止水シート５６の形を整え、止水シート５６の入り込み部分５７により被覆部５８及び案内部５９を形成する。
【００７２】
ここで、止水シート５６における目地３２内に入り込んでいない部分（外壁面材４１と下地フレーム４２との間に挟み込まれた部分）と、入り込み部分５７とで上下方向の長さ寸法を同じにするには、傾斜する案内面５９ａを有する案内部５９により入り込み部分５７となる止水シート５６の長さ寸法を大きくする必要がある。そこで、止水シート５６を目地３２内に押し込む際には、目地３２の下方においてシート材６１の折り返し部分６６の折り返し長さを小さくすることで、目地３２内に押し込むことのできる止水シート５６の長さ寸法を大きくできる。このようにして、止水シート５６における目地３２内に入り込んでいない部分と、入り込み部分５７とで上下方向の長さ寸法を同じにする。
【００７３】
なお、図８（ｃ）においては、止水シート５６における部分Ａがスペーサ部材６５に当接する程度にそのまま押し込んだ部分であり、部分Ｂが案内部５９の案内面５９ａを形成するために折り返した部分である。
【００７４】
その後、図８（ｄ）に示すように、目地３２内の下地フレーム４２同士の間にガスケット５４を嵌め込み、そのガスケット５４の下端部が止水シート５６の内側に入り込んだ状態とする。
【００７５】
以上詳述した本実施形態によれば、以下の優れた効果が得られる。
【００７６】
外壁部１７の目地３２にガスケット５４が嵌め込まれているため、雨水等の水が目地３２内に浸入することを規制できる。仮に、目地３２内においてガスケット５４まで水が浸入したとしても、その水はガスケット５４に沿って流下し、止水シート５６により形成された案内部５９により屋外側に排出されるため、ガスケット５４の下端から流れ落ちた水が、外壁部１７の下方（例えば一階部分１３の第一居室１５）に浸入することを抑制できる。加えて、止水シート５６は外壁面材４１と下地フレーム４２とで挟持されているため、外壁面材４１と下地フレーム４２との間にコーキング等の充填材を充填しなくても、外壁面材４１と下地フレーム４２との間に水が浸入することを規制できる。以上により、目地３２において屋内側への水の浸入を好適に抑制することができる。
【００７７】
目地３２においては、ガスケット５４の屋外側にシーリング材５３が嵌め込まれているため、ガスケット５４まで水が浸入することをシーリング材５３により規制できる。したがって、目地３２における防水性能を全体として向上させることができる。
【００７８】
案内部５９においては、目地３２における案内面５９ａの屋内側への入り込み寸法が下方に向けて徐々に小さくされているため、ガスケット５４の下端から案内面５９ａの上に流れ落ちた水を、案内面５９ａに沿って流すことで屋外側に排出することができる。また、止水シートが柔軟性を有しているため、案内部５９の形状を、案内面５９ａの入り込み寸法が下方に向けて徐々に小さくなるように整えることが容易となる。
【００７９】
隣り合う外壁パネル３１の各シート材６１が接続されることで止水シート５６が形成されているため、大梁３６等の建物躯体に各外壁パネル３１を取り付けた後に、シート材６１同士を接続してその接続部分を目地３２内に押し込むことで、止水シート５６により被覆部５８及び案内部５９を形成する作業を建築現場において容易に行うことができる。さらに、その後、目地３２に対してガスケット５４を押し込むという容易な作業を行うことで、ガスケット５４の下端部を被覆部５８の内側に挿し入れることができる。
【００８０】
目地３２において、止水シート５６の奥側にはスペーサ部材６５が設けられているため、本来は下地フレーム４２同士の離間距離を保持するためのスペーサ部材６５により、止水シート５６を奥側に押し込み過ぎることを抑制できる。この場合、止水シート５６を奥側に押し込み過ぎてシート材６１同士の接着面６１ａが剥がれるということを回避できる。しかも、スペーサ部材６５においては、下端側の案内側部分６５ｂが上端側の被覆側部分６５ａよりも目地３２の手前側（屋外側）に突出しているため、止水シート５６を被覆側部分６５ａ及び案内側部分６５ｂに当接する程度に押し込むことで、止水シート５６における案内部５９を形成する部分を被覆部５８を形成する部分よりも奥側に押し込んでしまうということを抑制できる。
【００８１】
止水シート５６の下部には折り返し部分６６が設けられているため、止水シート５６を目地３２内に押し込んで案内部５９の形を整える際に、折り返し部分６６の折り返し寸法を小さくすることでその折り返し部分６６から止水シート５６を引き出して目地３２内に押し込むことで、止水シート５６における目地３２内に入り込んだ部分の上下方向の長さ寸法が目地３２内に入り込んでいない部分（外壁面材４１と下地フレーム４２とで挟まれた部分）よりも小さくなることを抑制できる。
【００８２】
しかも、止水シート５６の折り返し部分６６は屋内側に向けて折り返されているため、折り返し部分６６が屋外側に向けて折り返されている場合とは異なり、屋外側から雨水等の水が折り返し部分６６の内側に浸入することを阻止できる。
【００８３】
止水シート５６における外壁パネル３１及び目地３２よりも下方にはみ出た部分は、バルコニー床部２１から立ち上がっている立ち上がり部３３の屋外側の側面に重ねられているため、案内部５９の案内面５９ａに沿って流下してきた水を立ち上がり部３３の上端や内部ではなく、立ち上がり部３３よりも屋外側（バルコニー床部２１側）に排出することができる。
【００８４】
案内部５９により案内された水が排出される水排出口３４が目地３２の下方に配置されているため、水排出口３４が上下方向における目地３２の中間位置に配置されている場合とは異なり、水排出口３４から排出された水が目地３２に沿って流れ落ちることがなく、バルコニー床部２１の床面に直接流れ出ることになる。したがって、水排出口３４から排出された水によりシーリング材５３や外壁面材４１が汚れることを回避できる。
【００８５】
シート材６１は、柔軟性を有している上に薄い部材であるため、工場においてあらかじめ外壁パネル３１に取り付けておいても、建築現場までの外壁パネル３１の運搬に際してシート材６１が支障になることがないと考えられる。これに対して、被覆部５８や案内部５９を金属製の板材により金属部材として形成した場合は、その金属部材を外壁パネル３１に取り付けた状態でその外壁パネル３１を運搬するのでは、運搬に際して金属部材が邪魔になると想定される。
【００８６】
［他の実施形態］
本発明は上記実施形態の記載内容に限定されず、例えば次のように実施されてもよい。
【００８７】
（１）上記実施形態では、隣り合う外壁パネル３１において、各シート材６１のはみ出し寸法Ｌ１，Ｌ２が異なる大きさとされていたが、図９に示すように、それらはみ出し寸法Ｌ１，Ｌ２は同じ大きさとされていてもよい。この構成では、各シート材６１の接着面６１ａの幅寸法が目地３２の幅寸法よりも小さくされている。この場合、図１０に示すように、止水シート５６を目地３２内に押し込んだ状態では、外壁パネル３１の並び方向においてシート材６１同士の接続部分が目地３２の略中央に配置され、しかも、その接続部分が案内部５９の案内面５９ａを形成することになる。
【００８８】
（２）上記実施形態では、ガスケット５４における下端寄りの部分が被覆部５８により屋内側から覆われているが、被覆部５８は、ガスケット５４の上下方向における全体を屋内側から覆っていてもよい。要するに、被覆部５８は、少なくともガスケット５４の下端部分を屋内側から覆っていれば、ガスケット５４の下端部から流れ落ちた水が、被覆部５８（止水シート５６）の屋内側に浸入することを抑制できる。
【００８９】
（３）上記実施形態では、止水シート５６により形成された案内部５９が目地３２の下端よりも下方にまで延びているが、案内部５９は目地３２の下端よりも下方にまで延びていなくてもよい。つまり、案内部５９により形成される水排出口３４が、目地３２の上下方向における中間位置に設けられていてもよい。この場合、案内部５９の下端部はガスケット５４よりも屋外側まで延びていることはもちろんのこと、シーリング材５３よりも屋外側まで延びていることが好ましい。また、この場合、止水シート５６は、外壁パネル３１の下端部（目地３２の下端部）よりも下方には延びていないことになる。
【００９０】
（４）上記実施形態では、隣り合う外壁パネル３１の各シート材６１が、一方のシート材６１の先端が他方のシート材６１の基端側に配置される状態で接続されているが、それらシート材６１は、互いの先端を合わせるように接続されていてもよい。つまり、各シート材６１は、接着面６１ａ同士が重ね合わされた状態で接続されていればよい。
【００９１】
（５）上記実施形態では、止水シート５６（各シート材６１）の折り返し部分６６が屋内側に折り返されていたが、屋外側に折り返されていてもよい。また、折り返し部分６６は設けられていなくてもよい。この場合でも、止水シート５６において、目地３２の側方の部分（外壁面材４１と下地フレーム４２とに挟まれた部分）よりも、目地３２に押し込まれる部分の上下方向の長さ寸法が大きくされていることにより、被覆部５８及び案内部５９を容易に形成することができる。また、止水シート５６が伸縮性を有していれば、折り返し部分６６を設けることや、止水シート５６の中間部分の長さ寸法を他の部分に比べて大きくすることをしなくても、止水シート５６を目地３２内に押し込む際に伸ばすことで被覆部５８及び案内部５９を容易に形成することができる。
【００９２】
（６）上記実施形態では、隣り合う外壁パネル３１のそれぞれに設けられたシート材６１が接続されることで止水シート５６が形成されているが、止水シート５６は、隣り合う外壁パネル３１に架け渡された一枚のシート材６１により形成されていてもよい。例えば、隣り合う一対の外壁パネル３１をユニット体として工場で製作しておき、その際にそれら外壁パネル３１に止水シート５６を目地３２を跨いで架け渡すように取り付けておく。この場合、止水シート５６は、あらかじめ被覆部５８及び案内部５９を有する形状に成形されていてもよい。
【００９３】
（７）上記実施形態では、ガスケット５４よりもシーリング材５３の方が下方まで延びているが、シーリング材５３よりもガスケット５４の方が下方まで延びていてもよい。つまり、シーリング材５３が目地３２の下端にまで達していなくてもよい。この場合でも、止水シート５６が外壁面材４１と下地フレーム４２とで挟持されているため、シーリング材５３の下方において外壁面材４１と下地フレーム４２との間に水が浸入することを阻止できる。
【００９４】
（８）上記実施形態では、外壁部１７の厚み方向において、ガスケット５４と止水シート５６との間に通気用の隙間が形成されていたが、外壁部１７の厚み方向において、ガスケット５４と止水シート５６との間を通じて通気が行われないようになっていてもよい。例えば、図１１に示すように、止水シート５６の入り込み部分５７の内側空間において、ガスケット５４の屋内側面と、入り込み部分５７における屋外側を向いた側面とが当接（密着）している構成とする。これにより、屋外から水排出口３４を介して入り込みの内側空間に風圧が加えられた際に、吹き上げによるガスケット５４よりも屋内側への水の浸入を防止することができる。
【００９５】
また、ガスケット５４の屋内側面は入り込み部分５７の内周面に対して接着剤や接着テープにより接着されているとなおよい。ちなみに、ガスケット５４の屋内側面が入り込み部分５７の内周面に対して密着していなくても、入り込み部分５７の内周面との隙間が小さければ、ガスケット５４の屋内側面と入り込み部分５７の内周面とが重なった状態になっていることにより、屋外からガスケット５４よりも屋内側への水の浸入を防ぐことができる。
【００９６】
（９）スペーサ部材６５においては、案内側部分６５ｂが被覆側部分６５ａよりも屋外側に突出した形状とされていなくてもよい。例えば、直線的に延びた板材により形成されたスペーサ部材６５が、その上端部よりも下端部が屋外側に位置するように設けられていれば、スペーサ部材６５において、上端寄りの部分が被覆側部分６５ａとなり、下端寄りの部分が案内側部分６５ｂとなる。また、案内側部分６５ｂの屋外側面が、案内側部分６５ｂの下端部に近付くにつれて徐々に屋外側にせり出していく構成としてもよい。この構成であれば、止水シート５６を案内側部分６５ｂの屋外側面に当接させるという容易な作業により、案内部５９を案内面５９ａが傾斜した形状に整えることができる。
【００９７】
また、被覆側部分６５ａと案内側部分６５ｂとが１つのスペーサ部材６５として一体的に形成されているのではなく、被覆側部分６５ａを形成するスペーサ部材６５と、案内側部分６５ｂを形成するスペーサ部材６５とが別々に設けられていてもよい。この場合でも、案内側部分６５ｂを形成するスペーサ部材６５が、被覆側部分６５ａを形成するスペーサ部材６５よりも屋外側に配置されていれば、止水シート５６により形成された案内部５９が被覆部５８よりも屋内側に入り込むことを抑制できる。
【００９８】
さらに、目地３２において止水シート５６の屋内側にスペーサ部材６５は設けられていなくてもよい。この場合でも、止水シート５６を下地フレーム４２に押し込む作業を行う際に、その押し込み量を力加減で調整することにより被覆部５８及び案内部５９を形成することは可能である。
【００９９】
（１０）上記実施形態では、縦フレーム材４２ａが断面コ字状の軽量溝形鋼により形成されていたが、縦フレーム材４２ａは、縦フレーム材４２ａのウェブの外側面のように、目地３２と外壁面材４１の屋内側空間とを区画する区画面を有していれば、断面Ｌ字状などの形状とされていてもよい。
【０１００】
（１１）外壁パネル３１の下端や下方には水切部材が設けられていてもよい。例えば、外壁パネル３１の下方において、立ち上がり部３３の屋外側の側面に対して水切部材が取り付けられている構成とする。この構成では、外壁パネル３１及び目地３２の下方において、水切部材が止水シート５６及び壁下シート５１の屋外側から防水下地鋼板４８に対してビス等により固定されている。
【０１０１】
（１２）上記実施形態では、止水シート５６を用いた目地３２についての防水処理が、二階部分１４のバルコニー２０の外壁部１７に適用されているが、この防水処理は、一階部分や屋上部分の外壁部１７に適用されてもよい。また、一階部分や屋上部分において、屋外床部を有する屋外開放空間を屋内空間に対して仕切る外壁部１７に適用されてもよい。
【符号の説明】
【０１０２】
１０…建物、１７…外壁としての外壁部、２１…屋外床部としてのバルコニー床部、３１…外壁パネル、３２…目地、３３…立ち上がり部、３６…建物躯体としての大梁、４１…外壁面材、４２…下地フレーム、４８…立ち上がり部を構成する防水下地鋼板、４９…立ち上がり部を構成するベースフレーム、５３…シーリング材、５４…ガスケット、５６…止水シート、５８…被覆部、５９…案内部、５９ａ…案内面、６１…被覆部、案内部及び重ね部を形成するシート材、６５…スペーサ部材、６５ａ…被覆側部分、６５ｂ…案内側部分、６６…折り返し部分、ＢＳ…屋外空間としてのバルコニー空間。
【図１】
2014047567.tif 000003
【図２】
2014047567.tif 000004
【図３】
2014047567.tif 000005
【図４】
2014047567.tif 000006
【図５】
2014047567.tif 000007
【図６】
2014047567.tif 000008
【図７】
2014047567.tif 000009
【図８】
2014047567.tif 000010
【図９】
2014047567.tif 000011
【図１０】
2014047567.tif 000012
【図１１】
2014047567.tif 000013